(57)【要約】【課題】組立性を向上させるとともに被支持体を円滑に回動させることができる軸受け構造およびルーバー装置を提供すること。【解決手段】ルーバー材６の側端板６２とルーバー回転軸６３とが溶接固定され、ルーバー回転軸６３とルーバーリンク６４とが溶接固定されて一体化された状態において、ルーバー回転軸６３に軸受け材６５を容易に取り付けることができるので、組立性を向上させることができる。さらに、側端板６２およびルーバーリンク６４とルーバー回転軸６３との溶接時の熱の影響を受けないので、樹脂製の軸受け材６５を用いることができ、ルーバー回転軸６３の回転抵抗を低減してルーバー材６の回動を円滑にすることができる。【選択図】図６
2010121317.tif 000002
【特許請求の範囲】
【請求項１】
支持体に対して被支持体を回動自在に支持する軸受け構造であって、
前記被支持体は、それぞれ金属製の第１部材および第２部材と、これらの第１部材と第２部材とに渡ってそれぞれに固定される金属製の回転軸とを有して一体に形成され、
前記回転軸には、その軸方向と交差する方向に少なくとも２分割されるとともに当該回転軸を挟んで連結される樹脂製の軸受け材が取り付けられている軸受け構造。
【請求項２】
前記支持体は、前記軸受け材を保持する凹部を有した第１支持体と、この第１支持体に対して前記凹部の開口側から取り付けられる第２支持体とを有して構成され、
前記分割された軸受け材の連結方向と前記凹部の開口方向とが交差した状態で当該軸受け材が前記凹部に保持されている請求項１に記載の軸受け構造。
【請求項３】
所定間隔離れて対向するとともに互いに略平行に延びる一対の側枠と、
前記一対の側枠間に渡って回動可能に支持されるとともに互いに略平行に設けられる複数のルーバー材とを備え、
前記ルーバー材は、それぞれ金属製のルーバー本体、回転軸およびリンク部を有し、前記ルーバー本体から突出して前記回転軸が固定され、この回転軸の先端側に交差して前記リンク部が固定されて一体に形成され、
前記回転軸には、その軸方向と交差する方向に少なくとも２分割されるとともに当該回転軸を挟んで連結される樹脂製の軸受け材が取り付けられ、この軸受け材を介して前記側枠に支持された前記複数のルーバー材同士が前記リンク部を介して連結されているルーバー装置。
【請求項４】
前記側枠は、前記複数のルーバー材の並設方向に沿って延びる第１側枠および第２側枠を有して構成され、
前記第１側枠には、前記軸受け材を保持する凹部が形成され、この凹部の開口側から前記第２側枠が前記第１側枠取り付けられ、
前記分割された軸受け材の連結方向と前記凹部の開口方向とが交差した状態で当該軸受け材が前記凹部に保持されている請求項３に記載のルーバー装置。
【請求項５】
前記一対の側枠および前記複数のルーバー材がそれぞれ略水平に延びて設けられて屋根面を構成する請求項３または請求項４に記載のルーバー装置。
【発明の詳細な説明】
【技術分野】
【０００１】
本発明は、軸受け構造およびルーバー装置に関する。
【背景技術】
【０００２】
従来、建物開口部などに設置されて開閉可能な複数のルーバー材を備えた可動式のルーバー装置が知られている（例えば、特許文献１参照）。
特許文献１に記載されたルーバー装置は、上枠と下枠とに渡って支持された複数のルーバー材（羽根板）を有して構成され、ルーバー材から上下に突設された回転軸が上枠および下枠に回転自在に支持されるとともに、回動軸に設けられたピニオンに上枠内部のラックが噛合することで、各ルーバー材が連動して回動し開閉操作できるように構成されている。
【０００３】
【特許文献１】実公平３−４６１５９号公報
【発明の開示】
【発明が解決しようとする課題】
【０００４】
しかしながら、従来のルーバー装置では、回転軸が上枠の底面を貫通し、回動軸の先端側に固定したピニオンが上枠内部に位置して設けられているため、上枠の底面位置で回転軸を軸支する場合には、上枠の底面を貫通させてから回転軸の先端側にピニオンを固定するか、予めピニオンを固定した回転軸を上方から上枠底面を貫通させてから、この回転軸の下側にルーバー材を固定する必要がある。このため回転軸に予めルーバー材およびピニオンの両方を固定した状態では、上枠底面を貫通させることが困難となり、その軸支部分の構造が複雑化し、組立性も悪化してしまうという問題がある。さらに、回転軸にルーバー材およびピニオンの両方を固定した状態では、この回転軸に軸受けを挿通させることが困難であるという問題も生じる。
【０００５】
本発明の目的は、組立性を向上させるとともに被支持体を円滑に回動させることができる軸受け構造およびルーバー装置を提供することにある。
【課題を解決するための手段】
【０００６】
本発明の軸受け構造は、支持体に対して被支持体を回動自在に支持する軸受け構造であって、前記被支持体は、それぞれ金属製の第１部材および第２部材と、これらの第１部材と第２部材とに渡ってそれぞれに固定される金属製の回転軸とを有して一体に形成され、前記回転軸には、その軸方向と交差する方向に少なくとも２分割されるとともに当該回転軸を挟んで連結される樹脂製の軸受け材が取り付けられていることを特徴とする。
【０００７】
一方、本発明のルーバー装置は、所定間隔離れて対向するとともに互いに略平行に延びる一対の側枠と、前記一対の側枠間に渡って回動可能に支持されるとともに互いに略平行に設けられる複数のルーバー材とを備え、前記ルーバー材は、それぞれ金属製のルーバー本体、回転軸およびリンク部を有し、前記ルーバー本体から突出して前記回転軸が固定され、この回転軸の先端側に交差して前記リンク部が固定されて一体に形成され、前記回転軸には、その軸方向と交差する方向に少なくとも２分割されるとともに当該回転軸を挟んで連結される樹脂製の軸受け材が取り付けられ、この軸受け材を介して前記側枠に支持された前記複数のルーバー材同士が前記リンク部を介して連結されていることを特徴とする。
【０００８】
以上の本発明によれば、ルーバー本体などの第１部材とリンク部などの第２部材とが両端に固定された回転軸に対し、その軸方向には軸受け材が挿通できない場合であっても、分割した軸受け材を回転軸の軸交差方向から挟んで連結することで、軸受け材に回転軸を挿通させて取り付けることができ、組立性を向上させることができる。そして、第１部材および第２部材と回転軸とが溶接固定によって一体化される場合に、予め回転軸に樹脂製の軸受け材を挿通した状態で溶接すると、軸受け材が溶接時の熱で溶けてしまう可能性があるのに対し、第１部材および第２部材と回転軸とを一体化してから軸受け材を取り付けることで溶接時の熱の影響を受けないようにできる。従って、樹脂製で摺動性の良好な軸受け材を用いることができ、回転軸の回転抵抗を低減してルーバー材などの被支持体の回動を円滑にすることができる。
【発明を実施するための最良の形態】
【０００９】
以下、本発明の実施形態を図面に基づいて説明する。
図１は、本発明の実施形態に係るルーバー装置１の一部を示す平面図である。図２および図３は、それぞれルーバー装置１を示す断面図であり、図２は、図１に矢視II−II線で示す断面図であり、図３は、図１に矢視III線で示す断面図である。
図１〜図３において、ルーバー装置１は、屋外に設けられるカーポートの屋根に用いられるものであって、地面から立設された４本の支柱２と、これらの支柱２のうち隣り合う２本の支柱２の上端間を連結する前枠としての前桁３と、この前桁３と平行に他の２本の支柱２の上端間を連結する後枠としての後桁４と、前桁３および後桁４と直交して２本の支柱２の上端間を連結する一対の側枠としての側桁５と、これら一対の側桁５間に渡って支持される複数のルーバー材６とを備えて構成されている。複数のルーバー材６は、互いに平行に設けられるとともに、それぞれ当該ルーバー材６の長手方向に沿ったルーバー回転軸６３回りに回動可能に側桁５に支持され、図２に実線で示すように、各ルーバー材６が略水平になった閉鎖位置と、図２に仮想線（二点鎖線）で示すように、各ルーバー材６傾斜して互いの間に隙間が形成される開放位置との間を開閉可能に構成されている。
【００１０】
一方の側桁５の端部近傍には、ルーバー材６を開閉操作するための開閉操作部７が設けられている。開閉操作部７は、側桁５に内蔵される操作部本体７１と、この操作部本体７１から下方に延びて適宜な工具によって回転操作される操作ロッド７２と、操作部本体７１から側方に突出する駆動ロッド７３と、この駆動ロッド７３の端部に固定される偏心リンク７４と、この偏心リンク７４の先端に回転自在に連結される長尺状の連動リンク７５とを有して構成されている。操作部本体７１の内部には、操作ロッド７２の回転を駆動ロッド７３に伝達するウォームギア等が設けられ、操作ロッド７２を回転操作することで、駆動ロッド７３が回転して偏心リンク７４が揺動し、この偏心リンク７４の揺動に伴って連動リンク７５が側桁５に沿って進退移動するように構成されている。
【００１１】
ルーバー材６は、アルミ形材製で長尺状かつ断面中空状のルーバー材本体６１と、このルーバー材本体６１の長手方向端部を塞ぐ側端板６２と、この側端板６２に溶接固定されて突出するルーバー回転軸６３と、このルーバー回転軸６３の先端側に溶接固定されるルーバーリンク６４とを有して構成されている。すなわち、ルーバー材本体６１および側端板６２によって第１部材であるルーバー本体が構成され、ルーバーリンク６４によって第２部材であるリンク部が構成されている。そして、ルーバー回転軸６３には、樹脂製の軸受け材６５が取り付けられ、この軸受け材６５が側桁５に軸支されることで、ルーバー材６がルーバー回転軸６３回りに回転可能になっている。さらに、各ルーバー材６におけるルーバーリンク６４の先端側には、前記開閉操作部７の連動リンク７５が回動自在に連結され、開閉操作部７の操作によって各ルーバー材６が連動して開閉できるように構成されている。
【００１２】
また、側桁５は、図３に示すように、支柱２に連結される断面矩形中空状の側桁本体５１と、この側桁本体５１の内側面に固定される第１支持体であり第１側枠であるルーバー支持部５２と、このルーバー支持部５２の上側に取り付けられる第２支持体であり第２側枠であるカバー部５３と、ルーバー支持部５２の下側に取り付けられてルーバー材６の長手方向端部下方位置まで延びる側桁樋部５４とを備えて構成されている。ルーバー支持部５２は、立上片５２１を有して形成され、この立上片５２１には、後述する複数の凹部５２２が上方に開口して形成されており、これらの凹部５２２に軸受け材６５が保持されるようになっている。また、カバー部５３は、立上片５２１に連続する垂下片５３１を有して形成され、この垂下片５３１には、凹部５２２に対応した複数の対向凹部５３２（後述）が形成されている。そして、ルーバー支持部５２の凹部５２２とカバー部５３の対向凹部５３２とで軸受け材６５を上下から挟むことで、軸受け材６５を介して各ルーバー材６が側桁５に回動自在に支持されるようになっている。
【００１３】
以上のようなルーバー材６の軸受け構造について、次の図４および図５も参照して説明する。
軸受け材６５は、第１軸受け材６５Ａおよび第２軸受け材６５Ｂからなる左右２部材に分割されて形成されている。第１および第２の軸受け材６５Ａ，６５Ｂは、それぞれ矩形状の軸受け本体６５１と、この軸受け本体６５１から突出した半円筒状の軸支部６５２とを有して形成されている。そして、第１軸受け材６５Ａには上下２つの嵌合孔６５３が形成され、第２軸受け材６５Ｂには上下２つの嵌合突起６５４が形成されており、これらの嵌合孔６５３に嵌合突起６５４を挿入することで、第１軸受け材６５Ａと第２軸受け材６５Ｂとが連結され、互いの軸支部６５２間にルーバー回転軸６３を挟んで軸支できるように構成されている。このようにルーバー回転軸６３を挟んだ状態の軸受け材６５は、図５に示すように、側桁５におけるルーバー支持部５２の上方から凹部５２２に挿入され、軸支部６５２が側桁５の内方つまりルーバー材６側に突出して保持されるようになっている。そして、軸受け本体６５１をルーバー支持部５２の立上片５２１にビス止め固定してから、側桁５のカバー部５３を上方から降ろし、対向凹部５３２を軸支部６５２に嵌めることで、軸受け材６５がルーバー支持部５２とカバー部５３とで挟まれて側桁５に支持されるようになっている。
【００１４】
なお、軸受け材６５としては、図４および図５に示す形態に限らず、図６および図７に示すような形態であってもよい。
図６において、軸受け材６５は、第１軸受け材６５Ｃおよび第２軸受け材６５Ｄからなる左右２部材に分割され、それぞれ軸受け本体６５１と、軸支部６５２とを有して形成されている。そして、第１軸受け材６５Ｃには上下２つの係合突起６５５が形成され、第２軸受け材６５Ｄには上下２つの係合溝６５６が形成されており、これらの係合突起６５５を係合溝６５６に係合させることで、第１軸受け材６５Ｃと第２軸受け材６５Ｄとが連結され、互いの軸支部６５２間にルーバー回転軸６３を挟んで軸支できるように構成されている。さらに、図７に示すように、ルーバー回転軸６３を挟んだ状態の軸受け材６５をルーバー支持部５２の凹部５２２に挿入して保持し、軸受け本体６５１を立上片５２１にビス止め固定してから、側桁５のカバー部５３を上方から降ろして対向凹部５３２を軸支部６５２に嵌めることで、軸受け材６５が側桁５に支持されるようになっている。
【００１５】
以上のような軸受け構造によれば、ルーバー材６の側端板６２とルーバー回転軸６３とが溶接固定され、ルーバー回転軸６３とルーバーリンク６４とが溶接固定されて一体化された状態において、ルーバー回転軸６３に軸受け材６５を容易に取り付けることができるので、組立性を向上させることができる。さらに、側端板６２およびルーバーリンク６４とルーバー回転軸６３との溶接時の熱の影響を受けないので、樹脂製の軸受け材６５を用いることができ、ルーバー回転軸６３の回転抵抗を低減してルーバー材６の回動を円滑にすることができる。また、軸受け材６５を２分割しても、その連結方向（左右方向）とルーバー支持部５２の凹部５２２の開口方向（上下方向）とが交差していることから、凹部５２２に軸受け材６５を挿入するだけで、第１軸受け材６５Ａ，６５Ｃと第２軸受け材６５Ｂ，６５Ｃとが分離することなく保持され、ルーバー材６設置の際の施工性も向上させることができる。
【００１６】
なお、本発明は、前記実施形態に限定されるものではなく、本発明の目的が達成できる以下の構成を備えていればよい。
（１）本発明の軸受け構造は、支持体に対して被支持体を回動自在に支持する軸受け構造であって、前記被支持体は、それぞれ金属製の第１部材および第２部材と、これらの第１部材と第２部材とに渡ってそれぞれに固定される金属製の回転軸とを有して一体に形成され、前記回転軸には、その軸方向と交差する方向に少なくとも２分割されるとともに当該回転軸を挟んで連結される樹脂製の軸受け材が取り付けられていればよい。
【００１７】
以上の軸受け構造によれば、第１部材と第２部材とが両端に固定された回転軸に対し、その軸方向には軸受け材が挿通できない場合であっても、分割した軸受け材を回転軸の軸交差方向から挟んで連結することで、軸受け材に回転軸を挿通させて取り付けることができ、組立性を向上させることができる。そして、第１部材および第２部材と回転軸とが溶接固定によって一体化される場合に、予め回転軸に樹脂製の軸受け材を挿通した状態で溶接すると、軸受け材が溶接時の熱で溶けてしまう可能性があるのに対し、第１部材および第２部材と回転軸とを一体化してから軸受け材を取り付けることで溶接時の熱の影響を受けないようにできる。従って、樹脂製で摺動性の良好な軸受け材を用いることができ、回転軸の回転抵抗を低減して被支持体の回動を円滑にすることができる。
【００１８】
（２）本発明の軸受け構造では、前記支持体は、前記軸受け材を保持する凹部を有した第１支持体と、この第１支持体に対して前記凹部の開口側から取り付けられる第２支持体とを有して構成され、前記分割された軸受け材の連結方向と前記凹部の開口方向とが交差した状態で当該軸受け材が前記凹部に保持されていることが好ましい。
このような構成によれば、第１支持体および第２支持体を有して支持体を構成し、第１支持体の凹部で軸受け材を保持する際に、軸受け材の連結方向を凹部の開口方向に交差させることで、凹部に挿入した軸受け材が分離してしまうことなく連結状態が維持できる。従って、分割した軸受け材同士を強固に固定しなくても連結状態を維持したまま凹部に保持されるので、その状態で第２支持体の取り付け作業を実施することができ、組立性をさらに向上させることができる。
【００１９】
（３）本発明のルーバー装置は、所定間隔離れて対向するとともに互いに略平行に延びる一対の側枠と、前記一対の側枠間に渡って回動可能に支持されるとともに互いに略平行に設けられる複数のルーバー材とを備え、前記ルーバー材は、それぞれ金属製のルーバー本体、回転軸およびリンク部を有し、前記ルーバー本体から突出して前記回転軸が固定され、この回転軸の先端側に交差して前記リンク部が固定されて一体に形成され、前記回転軸には、その軸方向と交差する方向に少なくとも２分割されるとともに当該回転軸を挟んで連結される樹脂製の軸受け材が取り付けられ、この軸受け材を介して前記側枠に支持された前記複数のルーバー材同士が前記リンク部を介して連結されていればよい。
このような本発明によれば、ルーバー本体とリンク部とが両端に固定された回転軸に対し、分割した軸受け材を回転軸の軸交差方向から挟んで連結することで、軸受け材に回転軸を挿通させて取り付けることができ、組立性を向上させることができる。そして、ルーバー本体およびリンク部と回転軸とを一体化してから軸受け材を取り付けることで、溶接時の熱の影響を受けないようにできるので、樹脂製で摺動性の良好な軸受け材を用いることができ、回転軸の回転抵抗を低減してルーバー材の回動を円滑にすることができる。
【００２０】
（４）本発明のルーバー装置では、前記側枠は、前記複数のルーバー材の並設方向に沿って延びる第１側枠および第２側枠を有して構成され、前記第１側枠には、前記軸受け材を保持する凹部が形成され、この凹部の開口側から前記第２側枠が前記第１側枠取り付けられ、前記分割された軸受け材の連結方向と前記凹部の開口方向とが交差した状態で当該軸受け材が前記凹部に保持されていることが好ましい。
このような構成によれば、軸受け材の連結方向を第１側枠の凹部の開口方向に交差させることで、第１側枠の凹部に挿入するだけで軸受け材の連結状態が維持でき、凹部に保持させた状態で第２側枠の取り付け作業を実施することができ、組立性をさらに向上させることができる。また、一対の側枠に渡ってルーバー材を取り付ける際に、先ず一対の側枠の第１側枠を所定位置に固定してから、それらの凹部にルーバー材の回転軸および軸受け材を挿入して複数のルーバー材を順次設置し、その後に第２側枠を第１側枠に取り付けるという施工手順が採用でき、ルーバー装置全体の施工効率を向上させることができる。
【００２１】
（５）本発明のルーバー装置では、前記一対の側枠および前記複数のルーバー材がそれぞれ略水平に延びて設けられて屋根面を構成することが好ましい。
このような構成によれば、開閉可能な複数のルーバー材を有した屋根を構築する際に、前述のように側枠に対して複数のルーバー材を効率よく設置できるので、高所作業の作業性が良好にできて、工期の短縮および施工コストの低減を図ることができる。
【００２２】
また、前記実施形態に限らず、以下に示すような変形等も本発明に含まれる。
例えば、前記実施形態においては、カーポートの屋根に用いるルーバー装置１について説明したが、本発明のルーバー装置１としては、カーポート等に限らず、任意の場所に設置される屋根に用いるものでよく、また屋根以外の壁として建物の開口部前方に設置されるものなどであってもよい。さらに、本発明の軸受け構造は、ルーバー装置１におけるルーバー材６を支持するものに限らず、回動自在に支持される各種の被支持体に用いることができる。
さらに、ルーバー材６の断面形状や回転軸の取付位置、連動機構（連動リンク）や開閉操作部７などは、前記実施形態に限定されるものではなく、任意の形状や構造が利用可能である。
【００２３】
また、前記実施形態では、軸受け材６５として、矩形状の軸受け本体６５１を有し、この軸受け本体６５１がルーバー支持部５２にビス止め固定される構成を説明したが、このような構成に限らず、以下の図８に示すような構成であってもよい。
図８において、軸受け材６５は、第１軸受け材６５Ｅおよび第２軸受け材６５Ｆからなる左右２部材に分割され、それぞれ半円筒状の軸支部６５２と、この軸支部６５２の前後両端部のフランジ部６５７とを有して形成されている。一方、側桁５におけるルーバー支持部５２の凹部５２２は、上方に向かって所定角度αだけ傾斜して形成され、その一方側の上縁部が側端縁よりも所定寸法Ａだけオーバーハングして形成されている。このような軸受け材６５を凹部５２２に挿入すれば、凹部５２２の傾斜によって軸受け材６５が上方に外れにくくなっているとともに、フランジ部６５７が立上片５２１に係止されて前後に位置決めされるので、軸受け材６５を安定して保持できるとともに、前述と同様に第１軸受け材６５Ｅと第２軸受け材６５Ｆとが左右に分離することなく保持され、ルーバー材６設置の際の施工性を向上させることができる。また、図８に示すように、傾斜した凹部５２２を側桁５に形成することで、ルーバー装置１を壁体として利用することが容易にできる。すなわち、壁体の側枠が上下に延びて設けられ場合でも、この側枠に設ける凹部５２２を見込み方向一方側でかつ上方に傾斜して開口させ、この凹部５２２にルーバー材６の軸受け材６５を引っ掛けて保持させることで、本固定するまでの間ルーバー材６を位置決めしておくことができ、施工性を一層向上させることができる。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２５】
【図１】本発明の実施形態に係るルーバー装置を示す平面図である。
【図２】前記ルーバー装置を示す断面図である。
【図３】前記ルーバー装置を示す断面図である。
【図４】前記ルーバー装置における軸受け構造を示す側面図である。
【図５】前記軸受け構造の組立手順を示す側面図である。
【図６】前記ルーバー装置における軸受け構造の変形例を示す斜視図である。
【図７】前記変形例の軸受け構造の組立手順を示す斜視図である。
【図８】本発明の軸受け構造の他の変形例を示す側面図である。
【符号の説明】
【００２６】
５…側桁（側枠、支持体）、６…ルーバー材（被支持体）、５２…ルーバー支持部（第１支持体、第１側枠）、５３…カバー部（第２支持体、第２側枠）、６２…側端板（第１部材、ルーバー本体）、６３…ルーバー回転軸、６４…ルーバーリンク（第２部材、リンク部）、６５…軸受け材、５２２…凹部。
【図１】
2010121317.tif 000003
【図２】
2010121317.tif 000004
【図３】
2010121317.tif 000005
【図４】
2010121317.tif 000006
【図５】
2010121317.tif 000007
【図６】
2010121317.tif 000008
【図７】
2010121317.tif 000009
【図８】
2010121317.tif 000010